(57)【要約】【課題】表面の欠陥と内部の欠陥との両方を１度に、短時間で検査でき、かつ転動体の表面の色相による制約を受けない、セラミックス製の転動体の検査方法および検査ユニットを提供すること。【解決手段】  検査対象物である転動体１に振動を加えるための送信プローブ２と、転動体の振動波形データを受信する受信プローブ３、およびこれらのプローブを媒体として、送信する振動の信号を発生したり、受信した振動の信号を処理する処理装置４を備えている。また、転動体１には、上方より、治具５が載せられている。【選択図】図１
2009186423.tif 000002
【特許請求の範囲】
【請求項１】
転動体の表面ないし内部の欠陥の有無を判定する検査方法であって、
前記転動体に連続的に周波数を変化させた振動を加え、振動波形データを出力させる工程と、
前記転動体が良品、不良品それぞれの場合における既知の振動波形に基づいて決定された判断基準と、前記振動波形データとを比較する工程と、
前記比較の結果から、前記転動体における欠陥の有無を判定する工程とを備える、検査方法。
【請求項２】
前記比較する工程では、前記既知の振動波形において出力される前記判断基準としての共振周波数と、前記振動波形データにおいて出力される共振周波数とを比較する、請求項１に記載の検査方法。
【請求項３】
前記判定基準を事前に決定する工程をさらに備え、
前記判定基準を事前に決定する工程には、
複数個の良品の振動波形データを出力させる工程と、
複数個の不良品の振動波形データを出力させる工程と、
前記良品、不良品それぞれの振動波形データから良品、不良品それぞれの前記振動波形を決定する工程とを含む、請求項１または２に記載の検査方法。
【請求項４】
前記振動波形データを出力させる工程は、
前記転動体に接触した送信プローブにより、前記転動体に連続的に周波数を変化させた振動を加える工程と、
前記転動体に接触した受信プローブにより、前記振動を加えられた前記転動体からの振動を受信する工程とを含み、
前記振動を加える工程および前記振動を受信する工程では、前記転動体を前記送信プローブと前記受信プローブとに接触させる方向に荷重が加えられている、請求項１〜３のいずれか１項に記載の検査方法。
【請求項５】
前記荷重の大きさをＦ（Ｎ）、前記転動体の質量をｍ（ｇ）とすると、
５００×ｍ（−１／１６）≦Ｆ≦１０００×ｍ（−１／６４）
という関係式を満足する、請求項４に記載の検査方法。
【請求項６】
前記振動波形データを出力させる工程では、
自重を荷重として用いるための治具を前記転動体に上方から載せることにより、前記転動体を前記送信プローブと前記受信プローブとに接触させるように、前記治具を介して前記荷重を加える、請求項４または５に記載の検査方法。
【請求項７】
前記振動波形データを出力させる工程では、
前記転動体を前記送信プローブと前記受信プローブとに接触させるように、前記転動体に接触した治具を押圧する押圧部材を用いて前記荷重を加える、請求項４または５に記載の検査方法。
【請求項８】
前記治具において、検査時に前記転動体に対向して接触する表面の形状は、曲率の値が前記転動体の曲率以下である曲面か、もしくは平面である、請求項６または７に記載の検査方法。
【請求項９】
前記振動波形データを出力させる工程では、
前記治具と前記転動体との間に、緩衝材を挟んで前記荷重を加える、請求項６〜８のいずれか１項に記載の検査方法。
【請求項１０】
前記治具は、前記転動体と接触する部位において、緩衝材が配置されている、請求項６〜８のいずれか１項に記載の検査方法。
【請求項１１】
転動体の表面ないし内部の欠陥の有無を判定する検査ユニットであって、
前記転動体に連続的に周波数を変化させた振動を加える送信プローブと、
前記振動を受信する受信プローブと、
前記転動体を前記送信プローブと前記受信プローブとに接触させる方向に一定以上の荷重を加える治具と、
制御部とを備え、
前記制御部では、前記転動体に連続的に周波数を変化させた振動を加えたときに出力される振動波形データと、前記転動体が良品、不良品それぞれの場合における既知の振動波形に基づいて決定された判断基準とを比較することにより、前記転動体における欠陥の有無を判定する、検査ユニット。
【発明の詳細な説明】
【技術分野】
【０００１】
本発明は、検査方法および検査ユニットに関し、より特定的には、転がり軸受の転動体の表面ないし内部の欠陥の有無を判定する検査方法および検査ユニットに関する。
【背景技術】
【０００２】
機械要素のひとつである軸受は、回転や往復運動する相手部品に接して荷重を受け、軸などを支持する部品である。すなわち、軸を正確かつ滑らかに回転させるために使用される部品である。軸受は、輸送機械を始め各種機械に多用されるが、それに限らず回転する部分がある機器には必ず存在する。軸受には大きく分けて、転がり軸受と滑り軸受がある。このうち転がり軸受には、起動摩擦係数が小さく動摩擦係数との差が小さい、潤滑しやすく潤滑材の消耗が少ない、高温または低温でも比較的容易に用いられる、などの長所が多い。このため、転がり軸受は滑り軸受よりも幅広く用いられている。
【０００３】
転がり軸受は、一般に軌道輪（内輪と外輪）、転動体（玉またはころ）、および保持器から構成されている。すなわち、内輪と外輪との間に数個の転動体が配置され、さらにお互いに接触しないように保持器によって一定の間隔を保ちながら円滑な転がり運動させるような構造になっている。
【０００４】
近年、転がり軸受が支える軸の回転速度の高速化に伴い、軸の回転中に転がり軸受を構成している転動体および軌道輪が支持する荷重が増加している。従来、転動体は鋼で形成していたが、転がり軸受が支える軸が高速回転することに伴い転動体の公転により発生する遠心力が増大している。そこで、この遠心力を低減させるため、鋼よりも比重の小さいセラミックスを用いた転動体を適用するケースがある。
【０００５】
しかし、セラミックス製の転動体を軸受に適用する上での課題は、品質保証のための検査方法である。すなわち、転動体の表面ないしは内部に、たとえば割れや傷などの欠陥が存在するか否かを検査する方法である。このような転動体の検査方法として、通常の鋼製の転動体の場合には、たとえば磁気探傷法を用いる。これは、検査対象物である転動体の表面に磁性蛍光粉を塗布し、磁性蛍光粉の付着状態の変化から、検査対象物の表面に存在する傷を探し出す方法である。測定に要する時間が短く、表面から２〜３ｍｍ程度の深さにある内部の欠陥も検出可能であることから、検査対象物が磁性体の場合には、最もよく使用されている測定方法である。
【０００６】
ところが、セラミックスには磁性が存在しないため、上述した磁気探傷法を用いることができない。そこで従来より、セラミックス製の転動体の検査には蛍光浸透探傷法が用いられている。これは検査対象物の材質に関係なくほとんど全ての製品・材料の表面検査に使用される。毛細管現象を利用して幅の狭い欠陥部分に液体を浸透させ、浸透した液体を表面に吸い出すという単純な原理で探傷を行なう方法である。浸透させる液体である浸透液には赤色の染色浸透液と紫外線灯で蛍光を発する蛍光浸透液とがある。
【０００７】
また、特開２００３−２３２７４３号公報（特許文献１）においては、レーザ光を利用して、セラミックス製の転動体の表面の欠陥を検査している。これは、当該転動体から反射した反射光を受光部で受光し、この受光部からの出力信号を処理装置で処理した結果に基づいてセラミックス製の転動体の外観の欠陥の有無を検査する方法である。
【０００８】
他に、セラミックス製の転動体を検査する方法として、超音波探傷法や、マイクロフォーカスＸ線法を用いる場合もある。これらは、「マイクロフォーカスＸ線法及び超音波探傷法によるセラミックボールの非破壊検査」（非特許文献１）にて紹介されている方法である。超音波探傷法としては、振動子を検査対象物に接触させ、超音波を直接送り込む方法と、検査対象物を水中に浸漬し、振動子の振動を水を介して伝播させる方法とがある。後者の方法では、振動子と検査対象物との接触、擦れによるノイズや振動子の損傷が発生する可能性が小さく、かつ操作速度を大きくできるという利点がある。
【０００９】
また、マイクロフォーカスＸ線法とは、検査対象物に、直径が５〜１０μｍの点状のＸ線を照射し、検査対象物を透過したＸ線を測定する。点状のＸ線を照射するのは、Ｘ線源が大きい場合に透視像に発生する、半影と呼ばれるボケを防ぐためである。欠陥が存在すると、欠陥とセラミックスとのＸ線の吸収の違いから、透過するＸ線量に違いが生じ、フィルム上に白または黒の像となって現れる。この白と黒のコントラストから、欠陥の有無を識別する。
【特許文献１】特開２００３−２３２７４３号公報
【非特許文献１】前田喜久男著、「マイクロフォーカスＸ線法及び超音波探傷法によるセラミックボールの非破壊検査」、ＮＴＮ  Technical  Review  No.62、１９９３年、ｐ．２−１２
【発明の開示】
【発明が解決しようとする課題】
【００１０】
しかしながら、上述した各検査方法はいずれも、以下に述べる問題点を抱えている。まず、磁気探傷法については上述のとおり、セラミックスのような磁性の存在しない材質の検査対象物には用いることができない。次に、蛍光浸透探傷法については、検査に用いる浸透液は蛍光を発するので、検査対象物の表面の欠陥の有無の検査には適しているが、内部の欠陥の有無が検出できないという問題がある。また、レーザ光を利用した検査方法においては、たとえば窒化珪素などのセラミックス材料を検査対象物とする場合には、焼結によって窒化珪素特有の色むらが表面に発生するため、これが検査精度を低下させることがある。さらに、超音波探傷法についても、振動子の振動を水を介して伝播させる方法は、検査対象物の内部の欠陥の検出は容易にできるが、表面の欠陥の検出は難しい。仮に表面の欠陥の検出が可能だったとしても、表面の欠陥と内部の欠陥とを１度に検出することはできず、別個に２度検査する必要が生じる。そのため、測定対象物１個あたり約５〜１０分と、多くの測定時間を要する。また、マイクロフォーカスＸ線法は、検査対象物の表面の欠陥も、内部の欠陥も両方とも検出可能ではあるが、この方法についてもやはり、表面の欠陥と内部の欠陥とを１度に検出することはできない。また、マイクロフォーカスＸ線法の場合、特にフィルムを用いた検査方法では、１方向の撮影を行なうのに、撮影の露出、現像などに２０〜３０分と、かなりの時間を要し、処理速度が遅いという問題がある。次に示す表１は、上述した各検査方法における問題点を一覧表にまとめたものである。表中、○は実施可能であること、もしくは特に問題が存在しないことを示し、×は実施不可能であること、もしくは問題があることを示す。また、−は（表面／内部欠陥を一度に検出の項にて）表面欠陥／内部欠陥のいずれかが検出不可のため対象外としていることを示す。
【００１１】
【表１】
2009186423.tif 000003
【００１２】
本発明は、上述した各検査方法が抱える問題点を解決するために鑑みなされたものである。すなわちその目的は、セラミックス製の転動体の高精度な検査が可能であり、表面の欠陥と内部の欠陥との両方を１度に、短時間で検査でき、かつ転動体の表面の色相による制約を受けない、転動体の検査方法および検査ユニットを提供することである。
【課題を解決するための手段】
【００１３】
この発明に従った検査方法では、以下の各工程を実施する。まず、検査対象物である転動体に連続的に周波数を変化させた振動を加え、振動波形データを出力させる工程を実施する。転動体が良品、不良品それぞれの場合における既知の振動波形に基づいて決定された判定基準と、先の工程で出力された振動波形データとを比較する工程を実施する。また、その比較の結果から、転動体における欠陥の有無を判定する工程を実施する。
【００１４】
また、上述した比較する工程では、既知の振動波形において出力される判断基準としての共振周波数と、振動波形データにおいて出力される共振周波数とを比較する。
【００１５】
また、上述した検査方法は、データの比較を行なう判定基準を事前に決定する工程をさらに備え、判定基準を事前に決定する工程には、複数個の良品の振動波形データを出力させる工程と、複数個の不良品の振動波形データを出力させる工程と、良品、不良品それぞれの振動波形データから良品、不良品それぞれの振動波形を決定する工程とを含む。
【００１６】
以上の、物体に振動を加え、その振動の共振のデータに基づいて、転動体における欠陥の有無を判定する方法を用いることにより、たとえばセラミックスなどの磁性を持たない材質の転動体の検査が可能であり、かつ、転動体の表面の欠陥と内部の欠陥との両方を１度に短時間で、かつ転動体の表面の色相による制約を受けずに検査することができる。
【００１７】
また、上述した検査方法において、振動波形データを出力させる工程では、転動体に接触した送信プローブにより、転動体に連続的に周波数を変化させた振動を加える工程と、転動体に接触した受信プローブにより、振動を加えられた転動体からの振動を受信する工程とを含む。そして、振動を加える工程および振動を受信する工程では、転動体を送信プローブと受信プローブとに接触させる方向に荷重が加えられている。また、その荷重の大きさをＦ（Ｎ）、転動体の質量をｍ（ｇ）とすると、
５００×ｍ（−１／１６）≦Ｆ≦１０００×ｍ（−１／６４）
という関係式を満足する。
【００１８】
また、上述した検査方法において、振動波形データを出力させる工程では、自重を荷重として用いるための治具を転動体に上方から載せることにより、転動体を送信プローブと受信プローブとに接触させるように、治具を介して荷重を加える方法を用いる。また、転動体を送信プローブと受信プローブとに接触させるように、転動体に接触した治具を押圧する押圧部材を用いて一定以上の荷重を加える方法を用いる。
【００１９】
以上の、転動体に対して、治具や押圧部材を用いて、送信プローブと受信プローブとに接触する方向に一定以上の荷重を加えることにより、転動体を、送信プローブと受信プローブとに確実に接触させることができる。このことにより、送信プローブから発振される振動が確実に転動体に伝わり、かつ、転動体の振動の情報を受信プローブに確実に伝え、高精度な検査を行なうことが可能となる。
【００２０】
また、上述した自重を荷重として用いるための、転動体に上方から載せる治具は、検査時に転動体に対向して接触する表面の曲率の値が転動体の曲率以下である曲面か、もしくは平面である。これにより、治具の転動体に対する位置精度を高めることができる。つまり、治具の自重による荷重は、転動体が送信プローブおよび受信プローブに均等に接触した状態を保たせることが可能となる。このため、より高精度な検査を行なうことが可能となる。
【００２１】
さらに、上述した振動波形データを出力させる工程では、治具と転動体との間に、緩衝材を挟んで荷重を加える方法を用いることもできる。また、荷重を加えるために用いる治具は、転動体と接触する部位において、緩衝材が配置されている。これは、治具を転動体に直接接触させず、治具が転動体と接触する部位においては、両者の間に緩衝材を宛がうということである。このような方法をとることにより、治具の転動体に対する位置精度を高めることができる。つまり、治具の自重による荷重は、転動体が送信プローブおよび受信プローブに均等に接触した状態を保たせることが可能となる。このため、より高精度な検査を行なうことが可能となる。
【００２２】
また、本発明における検査ユニットは、転動体の表面ないし内部の欠陥の有無を判定する検査ユニットであって、転動体に連続的に周波数を変化させた振動を加える送信プローブと、振動を受信する受信プローブと、転動体を送信プローブと受信プローブとに接触させる方向に一定以上の荷重を加える治具と、制御部とを備える。そしてその制御部は、転動体に連続的に周波数を変化させた振動を加えたときに出力される振動波形データと、転動体が良品、不良品それぞれの場合における既知の振動波形に基づいて決定された判定基準とを比較することにより、転動体における欠陥の有無を判定する。
【００２３】
上述のように、本発明における検査ユニットは、治具の自重が、検査対象物である転動体に、振動を加える送信プローブおよび、転動体の振動の情報を伝える受信プローブを接触させる。その結果、転動体に加えられた振動の共振などの波形データが高精度に受信プローブに伝わり、転動体における欠陥の有無に関して高精度な検査を行なうことが可能となる。
【発明の効果】
【００２４】
本発明における検査方法および検査ユニットを用いれば、たとえばセラミックス製の転動体の表面および内部の両方の欠陥の有無を同時に、短時間で検査することが可能である。かつ、転動体の表面の色相による制約を受けない高精度な検査が可能である。
【発明を実施するための最良の形態】
【００２５】
以下、図面に基づいて本発明の実施の形態を説明する。なお、以下の各図面において、同一の機能を果たす部位には同一の参照番号が付されており、その説明は、特に必要がなければ繰り返さない。
【００２６】
（実施の形態１）
図１は、本発明の実施の形態１における、転動体の検査ユニットを示す概略図である。また、図２は、本発明の実施の形態１における、転動体の検査方法を示すフローチャートである。以下、これらの図面を用いて本発明の実施の形態１について説明する。
【００２７】
図１に示した転動体の検査ユニットは、たとえばセラミックス製の転動体１の表面または内部の欠陥の有無を判定する検査を行なうためのユニットである。そのユニットは、検査対象物である転動体１に振動を加えるための送信プローブ２と、転動体の振動波形データを受信する受信プローブ３、およびこれらのプローブを媒体として、送信する振動の信号を発生したり、受信した振動の信号を処理する制御部としての処理装置４を備えている。処理装置４には、記憶部１０と演算部１１とが内蔵されており、これらはそれぞれ、コンピュータのメモリおよびＣＰＵの役割を果たすものである。また、転動体１には、上方より、治具５が載せられている。
【００２８】
ここで、図１に示した検査ユニットの各構成要素の役割について説明する。処理装置４に内蔵される演算部１１は、転動体１が共振現象を起こす共振周波数を探るため、連続的に周波数を変化させた振動を発生するための電気信号を送信プローブ２に送り出す役割を持つ。そして送信プローブ２は、処理装置４から発生した電気信号に基づき機械的振動を発生させ、その機械的振動を転動体１に加える役割を持つ。転動体１には送信プローブ２から、連続的に周波数を変化させた機械的振動が加えられ、そのうちある周波数の機械的振動により転動体１は振動が大きくなり、理論的には無限大の振動を起こすという、共振現象を起こす。この共振現象を起こすときの機械的振動の周波数を共振周波数と呼び、これは検査対象物である転動体１の材質および形状によって決まる固有の値である。この共振周波数のデータを含む、転動体１の振動波形データを受信する役割を持つのが受信プローブ３であり、受信プローブ３から処理装置４に、振動波形データの信号が返される。処理装置４における記憶部１０に、受信プローブ３から送信された振動波形データが記憶される。また、当該記憶部１０には、処理装置４の演算部１１において実行される制御プログラムや、後述する判定に用いる判定基準のデータなどが記憶されている。そして処理装置４を構成する記憶部１０および演算部１１にて、信号の処理ないし、転動体１が良品であるか否かの判定が行なわれる。なお、このように転動体１に機械的振動を与える際、転動体１が送信プローブ２もしくは受信プローブ３と接触していなければ、機械的振動の信号を、送信プローブ２から転動体１、転動体１から受信プローブ３へと、精度よく伝えることができない。そこで、これを精度よく伝えるため、転動体１は、送信プローブ２および受信プローブ３と接触させておく必要がある。そのために、転動体１の上方には、直方体状の治具５が載せられている。このことにより、治具５の自重を利用して転動体１を送信プローブ２および受信プローブ３に接触させることができる。なお、治具５の形状は上述した直方体状以外の任意の形状を採用することができる。
【００２９】
治具５は、転動体１を送信プローブ２および受信プローブ３に接触させるように上方から荷重を加えるために配置するものである。したがって治具５の土台の材質としては、比重が大きく、転動体１に対して十分な荷重を与えうる材質が好ましく、たとえば鉄や鋼などが考えられる。しかし、たとえばセラミックス製の転動体１を検査する場合、転動体１と治具５とが互いに力を及ぼしあい反発して、転動体１と送信プローブ２および受信プローブ３が高精度に接触できなくなる可能性を排除する必要がある。そこで、治具５の、転動体１に対向して接触する部分については、より柔軟な材質にしておくことが好ましい。これにより、治具５から転動体１に加える荷重を、転動体１の１点ではなく、転動体１の表面のうち、緩衝材８と接触する部分全体から均等に加えることができる。すなわち、治具の自重による荷重は、転動体１を送信プローブ２および受信プローブ３に均等に接触させた状態を保たせることが可能となる。このため、より高精度な検査を行なうことが可能となる。
【００３０】
例として、治具５の、転動体１に対向して接触する表面については、その材質をたとえばスチロール樹脂、ナイロン、ＡＢＳ樹脂、ポリカーボネート、ＰＥＥＫ(ポリエーテルエーテルケトン）などの合成樹脂で形成することが好ましいが、これらに限るものではなく、転動体１と治具５との反発力を吸収するに足る、任意の柔軟な材質を使用できる。また、治具５全体の材質として、比重の大きいたとえば鉄や鋼の代わりに、上述したスチロール樹脂、ナイロン、ＡＢＳ樹脂、ポリカーボネート、ＰＥＥＫなどの合成樹脂を使用してもよい。
【００３１】
なお、上述した治具５を用いて荷重を加えることが好ましいのは、検査対象物である転動体１の振動波形データを出力させるため、転動体１に連続的に周波数を変化させた振動を加える工程を行なうときと、転動体１に接触した受信プローブにより、振動を加えられた転動体１からの振動を受信する工程を行なうときである。逆に言えば、上述した検査ユニットは、実際にたとえば転動体１の検査を行なうために振動を与えるとき以外は、必ずしも転動体１が治具５と送信プローブ２と受信プローブ３との３箇所に常時接触する構造となっている必要はない。
【００３２】
次に、本発明の実施の形態１における転動体の検査方法について説明する。図２に示すようにまず、下準備として、荷重を加える工程（Ｓ００）を実施する。具体的には、たとえば図１に示すように検査対象物である転動体１に送信プローブ２と受信プローブ３とを接触させ、さらに当該送信プローブ２および受信プローブ３に転動体１が確実に接触するように、治具５を転動体１に接触させる。治具５により転動体１は、送信プローブ２および受信プローブ３側に向けて押圧される。これは特に、セラミックス製の転動体のように、検査対象物が非常に軽量である場合に必要な工程である。セラミックス製の転動体のように、非常に軽量な検査対象物を検査する場合は、その自重だけでは、機械的振動を加えた際に、振動を加える送信プローブ２と受信プローブ３とに密着できない。その結果、機械的振動の信号が、送信プローブ２から転動体１、転動体１から受信プローブ３へと、精度よく伝えることができず、検査精度に支障をきたすことがある。そこで、これを精度よく伝えるため、転動体１を送信プローブ２および受信プローブ３と接触させるための治具５を転動体１の上方に配置する。これにより、治具５の自重を利用して転動体１を送信プローブ２および受信プローブ３に接触させる。なお、種々の試験結果から、治具５が転動体１に与える荷重（治具５の自重）の範囲を一般化すると、荷重の大きさをＦ（Ｎ）、転動体１の質量をｍ（ｇ）とすれば
５００×ｍ（−１／１６）≦Ｆ≦１０００×ｍ（−１／６４）
という関係式を満足するように荷重を与えることが好ましい。したがって、たとえば鋼製の転動体１を検査する場合などで、鋼の自重により、上述の数式を満たす場合には、治具５による上方からの荷重は必要ないこともある。なお、上述の数式はあくまで目安であり、上方から加える荷重については、実際に検査を行なう転動体１を用いて、若干の試行錯誤が必要となることもある。たとえば、直径約１０ｍｍ（質量１．５ｇ）の窒化珪素製の転動体の場合、実際の検査においては、５０ｇ重以上の荷重が適当であった。
【００３３】
次に、振動波形データを出力させる工程（Ｓ１０）を実施する。具体的には、図１に示すように検査対象物である転動体１を検査ユニットにセットした状態で、処理装置４に内蔵されている演算部１１から連続的に周波数を変化させた振動を発生するための電気信号を送信プローブ２に送り出す。そして送信プローブ２にて電気信号に基づき機械的振動を発生させ、その機械的振動を転動体１に加える。転動体１に連続的に周波数を変化させた機械的信号を与えるため、送信プローブ２は機械的振動の周波数をＳＷＥＥＰさせながら（連続的に変化させながら）機械的振動を送る。すると、連続的に変化させた機械的振動の周波数のうち、ある周波数のところで、転動体１は共振を起こすことになるが、共振を起こした共振周波数を含め、ＳＷＥＥＰさせた全周波数に対する転動体１の振動の出力データを受信プローブ３にて受信し、これを処理装置４に返信する。
【００３４】
続いて、振動波形データを比較する工程（Ｓ２０）を行なう。具体的には、本検査を行なう前に予め蓄積させておいた、検査を行なおうとする転動体１と同じ材質の転動体１が良品、不良品それぞれの場合における、上述した機械的振動を与えて出力させた振動波形データおよび共振周波数から決定された、良品か不良品かを決定するための判定基準と、今回検査を行なおうとする転動体１の振動波形データおよび共振周波数とを比較する工程である。
【００３５】
検査を行なおうとする転動体１と同じ材質の転動体１が良品、不良品それぞれの場合における振動波形データは、処理装置４の記憶部１０に蓄積されている。この予め蓄積された良品および不良品の振動波形データに基づいて決定された、良品か不良品かを決定する判定基準と、今回の検査にて出力された振動波形データとを、処理装置４にて演算処理により比較する。
【００３６】
そして、欠陥の有無を判定する工程（Ｓ３０）へと進む。具体的には、検査対象物の材質ごとに蓄積された振動波形データに含有される共振ピークの振幅またはピークの周波数に対し、今回検査を行ない出力させた振動波形データにおけるピークが共振に基づくものか否かを、ピークの振幅または周波数から判定するための判定基準である閾値を予め決定し、処理装置４の記憶部１０に記憶させておく。そして、処理装置４の演算部１１にて、今回の検査にて出力された振動波形データ中におけるピークの振幅が共振に基づくピークか否か、蓄積された閾値を基準に自動的に判定する。共振に基づくピークであれば、次にそのピークの周波数の、良品、不良品それぞれの共振周波数との差を調べる。そして、測定した振動波形データのピークの周波数と、良品の共振周波数との差の値が予め決定していた閾値以下である場合には、測定した転動体は良品であると判断する。つまり、蓄積された閾値を基準に、今回検査した転動体１が良品か否かを自動的に判定する。
【００３７】
上述のとおり、検査対象物が良品か不良品かを判定するためには、予め処理装置４に判定基準を記憶させておく必要がある。したがって本発明の実施の形態１の検査方法には、実際の検査対象物を検査する工程の他に、事前準備として、実際の検査対象物である転動体１と同じ材質の転動体が良品であるか不良品であるかを決定するための判定基準を決定する工程が存在する。図３は、図２のフローチャートで示した工程を行なうための比較用の判定基準となるデータを事前に決定する工程を示すフローチャートである。
【００３８】
図３に示すように、まず、良品の振動波形データを出力させる工程（Ｓ２１）を行なう。具体的には、今回検査を行なう転動体１と同じ材質、同じ大きさの転動体１の良品サンプル複数個に対して、図２の振動波形データを出力させる工程（Ｓ１０）と同じ要領にて、振動波形データを出力させる。ここで、極力振動波形データを蓄積するサンプルのＮ数を多くとることが好ましい。これにより、検査結果のエラーが発生する可能性を小さくすることができる。そして、出力させた振動波形データは、処理装置４の記憶部１０に蓄積させておく。
【００３９】
次に、不良品の振動波形データを出力させる工程（Ｓ２２）を行なう。具体的には、先の工程（Ｓ２１）と同様に、今回検査を行なう転動体１と同じ材質、同じ大きさの転動体１の表面にたとえば傷などを施した不良品サンプル複数個に対して、図２の振動波形データを出力させる工程（Ｓ１０）と同じ要領にて、振動波形データを出力させる。ここで、極力振動波形データを蓄積するサンプルのＮ数を多くとることが好ましい。これにより、検査結果のエラーが発生する可能性を小さくすることができる。振動波形データの中でも特に検査対象物が共振現象を起こす共振周波数は、検査対象物に傷や空孔などの欠陥があれば、欠陥がない状態の共振周波数と異なったものになり、共振ピークの振幅などの信号も異なったものとなる。そして、出力させた振動波形データは、処理装置４の記憶部１０に蓄積させておく。
【００４０】
続いて、良品／不良品の波形パターンを決定する工程（Ｓ２３）を行なう。これは、先の工程（Ｓ２１）および工程（Ｓ２２）にて処理装置４の記憶部１０に蓄積させた、複数個の良品および不良品の振動波形データを元に、処理装置４の演算部１１にて分析処理する工程である。多くのＮ数の良品および不良品のそれぞれのデータを分析することにより、たとえば良品の場合の共振周波数や共振ピークの振幅などの数値の傾向を分析する。そしてその分析結果を元に、検査対象物を良品、あるいは不良品と判定するための共振周波数や共振ピークの値の閾値を演算部１１にて決定し、記憶部１０に記憶させる。以上の工程を踏むことにより、良品／不良品の判定基準を決定することができる。そして以上の手順で予め決定し記憶部１０に記憶された、良品／不良品の判定基準を元に、実際の検査対象物に対して自動的に良品／不良品の判定が行なわれる。
【００４１】
本発明の実施の形態１の説明には、検査対象物として、セラミックス製の転動体１を挙げているが、本発明における検査ユニットは、原理的には、固体であれば、セラミックス材料に限らず検査可能である。また、形状についても、転動体１のような球状に限定されず、たとえば立方体状や直方体状など、球状以外の形状の検査対象物に応用することも可能である。
【００４２】
以上のように、本発明の実施の形態１は、検査対象物の機械的振動による共振を利用した検査方法（共振検査法）により、検査を行なっている。この共振検査法を用いると、検査対象物である転動体１の、表面および内部の両方の欠陥の有無を同時に、しかも非常に短時間で検査することが可能である。また、検査対象物の機械的振動をデータとするため、たとえば検査対象物の表面の色むらなどの色相は検査の結果に影響を与えない。
【００４３】
（実施の形態２）
図４は、本発明の実施の形態２における、転動体の検査ユニットを示す概略図である。本発明の実施の形態２における検査ユニットは、転動体１の上方より荷重を加える手段として、治具５を介して、天井から転動体１に向かう方向に設置したバネ６を利用している。つまり、転動体１を送信プローブ２と受信プローブ３とに確実に接触させるために、転動体１に接触した治具を押圧する押圧部材としてバネ６を用いている。以上の点においてのみ、本発明の実施の形態１と異なる。すなわち、検査ユニットの他の各構成要素および検査方法については、全て本発明の実施の形態１に準ずる。なお、バネ６を固定する部材は、上述のような天井に限らず、他の架台などバネ６の一方端を固定できれば任意の部材を用いることができる。
【００４４】
先の図２（フローチャート）中の荷重を加える工程（Ｓ００）において、転動体１を送信プローブ２および受信プローブ３に接触させるように荷重を加える方法は、先の本発明の実施の形態１のように、自重を荷重として用いるための治具を転動体１の上方から載せる方法でもよい。しかし、たとえば治具５として自重が軽く、上述した数式を満たすに足りない荷重しか加えることができない治具を用いた場合は、本発明の実施の形態２のように、転動体１に接触した治具５を押圧する押圧部材としてのバネ６を用いて、荷重を治具５に対して補助的に加える方法を用いる。これにより、治具５の自重とバネ６の縮みによる弾性力との和が、上述した数式を満たす大きさになるような荷重を転動体１に対して加えることができる。
【００４５】
（実施の形態３）
図５は、本発明の実施の形態３における、転動体の検査ユニットを示す概略図である。本発明の実施の形態３における検査ユニットは、転動体１の上方より荷重を加える手段として用いる治具７の形状が、先の本発明の実施の形態１における治具５の形状（直方体状）とは異なる。以上の点においてのみ、実施の形態１と異なる。すなわち、検査ユニットの他の各構成要素および検査方法については、全て本発明の実施の形態１に準ずる。
【００４６】
治具５の自重を荷重として用いることにより、転動体１を送信プローブ２および受信プローブ３に接触させるが、このとき転動体１の位置が送信プローブ２および受信プローブ３の中央となることが必要である。すなわち、送信プローブ２および受信プローブ３の位置が、転動体１の位置に対して互いに対称になる必要がある。転動体１の位置が精度よく配置されていると、治具５による荷重は、転動体１から送信プローブ２および受信プローブ３の両方に一様に加えることができる。したがって、転動体１の、送信プローブ２および受信プローブ３に対する位置を留意することが重要となる。ところで転動体１は検査実施時には機械的な振動を加えられることになる。このため、転動体１は治具５に対してランダムに動きやすく、結果、転動体１の位置が治具５に対してずれを起こしやすい。しかし、治具５による荷重を、転動体１から送信プローブ２および受信プローブ３の両方に一様に加えることにより、転動体１が両方のプローブに均等に接触することが必要である。
【００４７】
そこで、転動体１が振動を起こしてもその位置がプローブに対して大きくずれる現象を抑制するために、本発明の実施の形態３においては、荷重を加える治具７を、図５のように転動体１に対向して接触する表面が転動体１の表面に沿った方向に曲率を持つ形状としている。治具７をこのような形状にすることにより、転動体１が振動を起こした際に、治具７に対してその位置がずれる可能性が小さくなる。したがって、転動体１が常に治具７の表面をなす曲面に包み込まれた状態となり、治具７に対する位置精度を高めることができる。その結果、転動体１の、送信プローブ２および受信プローブ３に対する位置精度を高めることができる。そのため、治具７の自重による荷重は、転動体１を送信プローブ２および受信プローブ３に均等に接触させた状態を保つことが可能となる。
【００４８】
なお、治具７の転動体１に対向して接触する表面が持つ曲率は、図５に示すように、転動体１の表面の曲率以下であることが好ましい。曲率が小さくなり、０となった状態が、表面が平面となった状態であり、本発明の実施の形態１に示す治具５の状態であるといえる。曲率０から、転動体１の表面の曲率以下となるように、治具７の転動体１に対向して接触する表面が持つ曲率を大きくするほど、さらに好ましい。治具７の転動体１に対向して接触する表面が持つ曲率が、転動体１の表面の曲率と等しくなるように設計すると、転動体１は治具７に対してほとんど位置をずらすことができなくなるため、さらに好ましいといえる。
【００４９】
また、治具７に対して、本発明の実施の形態２に示す要領でバネ６（図４参照）を設置し、治具７の自重とバネ６の弾性力とを利用して転動体１を送信プローブ２および受信プローブ３とに接触させる構造としてもよい。
【００５０】
（実施の形態４）
図６は、本発明の実施の形態４における、転動体の検査ユニットを示す概略図である。本発明の実施の形態４における検査ユニットは、転動体１の上方より荷重を加える手段として用いる治具５と転動体１との間に、緩衝材８を挟んで治具５の自重を荷重として加えている。以上の点においてのみ、実施の形態１と異なる。すなわち、検査ユニットの他の各構成要素および検査方法については、全て本発明の実施の形態１に準ずる。
【００５１】
治具５は、転動体１が送信プローブ２および受信プローブ３に対して接触するように荷重を加えるために配置するものである。したがって治具５の土台の材質としては、比重が大きく、転動体１に対して十分な荷重を与えうる材質が好ましく、たとえば鉄や鋼などが考えられる。しかし、たとえばセラミックス製の転動体１を検査する場合、転動体１と治具５とが互いに力を及ぼしあい反発して、転動体１と送信プローブ２および受信プローブ３が高精度に接触できなくなる可能性を排除する必要がある。そこで、より柔軟な材料で形成された緩衝材８を、治具５と転動体１との間に挟むことが好ましい。これにより、治具５から転動体１に加える荷重を、転動体１の１点ではなく、転動体１の表面のうち、緩衝材８と接触する部分全体から均等に加えることができる。すなわち、治具の自重による荷重は、転動体１を送信プローブ２および受信プローブ３に均等に接触させた状態を保つことが可能となる。このため、より高精度な検査を行なうことが可能となる。
【００５２】
緩衝材８の材質としては、治具５の荷重に耐えうる程度の強度を持ち、転動体１に対して加えた力を吸収する柔軟性を持つ材質が適している。具体的には、たとえばスチロール樹脂、ナイロン、ＡＢＳ樹脂、ポリカーボネート、ＰＥＥＫなどの合成樹脂を用いることが好ましいが、これらに限るものではなく、転動体１と治具５との反発力を吸収するに足る、任意の柔軟な材質を使用できる。なお、この緩衝材８の形状は、直方体状でもよいが、本発明の実施の形態３における治具７と同様に、緩衝材８が転動体１に対向して接触する表面が転動体１の表面に沿った方向に曲率を持つ形状とすることがさらに好ましい。この曲率についても、本発明の実施の形態３における治具７と同様に、転動体１の表面の曲率以下であることが好ましい。曲率が小さくなり、０となった状態が、表面が平面となった状態であり、本発明の実施の形態１に示す治具５の状態であるといえる。曲率０から、転動体１の表面の曲率以下となるように、治具７の緩衝材８に対向して接触する表面が持つ曲率を大きくするほど、さらに好ましい。治具７の転動体１に対向して接触する表面が持つ曲率が、転動体１の表面の曲率と等しくなるように設計すると、転動体１は緩衝材８に対してほとんど位置をずらすことができなくなるため、さらに好ましいといえる。
【００５３】
また、治具５に対して、本発明の実施の形態２に示す要領でバネ６（図４参照）を設置し、治具５の自重とバネ６の弾性力とを利用して転動体１を送信プローブ２および受信プローブ３とに接触させ、その上で治具５と転動体１との間に緩衝材８を挟む構造としてもよい。また、本発明の実施の形態３に示す要領で、治具５の代わりに、転動体１に対向して接触する表面が転動体１の表面に沿った方向に曲率を持つ形状を持つ治具７を使用し、治具７と転動体１との間に緩衝材８を挟む構成としてもよい。
【実施例１】
【００５４】
本発明の実施の形態４に則った検査ユニットにて、共振検査法を用いて、直径約１０ｍｍのセラミックス（窒化珪素）製の転動体１の検査を行なった。本実施例１においては、治具５として、鋼製であり、重さが５０ｇの錘を使用することにより、転動体１が送信プローブ２および受信プローブ３に均一に接触するように荷重を加えた。治具５が硬質なため、治具５とセラミックス製転動体１との間にポリスチロール樹脂を緩衝材８として挟んだ。さらに、この緩衝材８は、転動体１に対向して接触する表面が転動体１の表面に沿った方向に曲率を持つ形状とした。すると、転動体１の位置精度が向上し、転動体１の表面および内部の欠陥が安定して高精度に検出できるようになった。
【００５５】
セラミックス（窒化珪素）製の転動体１の検査は、良品１０個および不良品３個のサンプルに対して行なった。なお、ここで不良品とは、たとえば微細な介在物が内部に混入したサンプルや、微小な表面欠陥を含んだサンプルなどである。
これらのサンプルに対し、良品／不良品を、１００％正確に判定した。その検出に要した時間はサンプル１個あたり１秒以下と、従来方法に比べ極めて短時間であった。先の表１に示すように、たとえば超音波探傷法では約５〜１０分を要する。また、マイクロフォーカスＸ線法では約９０分を要している。これは上述したとおり１方向の撮影に２０〜３０分かかるため、３方向の撮影には約９０分を要するということである。検査対象物の表面であれ、内部であれ、欠陥が存在すれば、共振周波数などの振動波形データが、良品とは異なったものとなる。その良品とのデータの変化を元に、良品もしくは不良品の判定を行なうため、表面欠陥と内部欠陥の区別なく、極めて短時間で判定することが可能である。
【００５６】
今回開示された実施の形態および実施例はすべての点で例示であって制限的なものではないと考えられるべきである。本発明の範囲は上述した実施の形態ではなく特許請求の範囲によって示され、特許請求の範囲と均等の意味および範囲内でのすべての変更が含まれることが意図される。
【産業上の利用可能性】
【００５７】
本発明は、転動体における欠陥の有無を短時間で高精度に検査する技術として特に適している。
【図面の簡単な説明】
【００５８】
【図１】本発明の実施の形態１における、転動体の検査ユニットを示す概略図である。
【図２】本発明の実施の形態１における、転動体の検査方法を示すフローチャートである。
【図３】図２のフローチャートで示した工程を行なうための比較用の判定基準となるデータを事前に決定する工程を示すフローチャートである。
【図４】本発明の実施の形態２における、転動体の検査ユニットを示す概略図である。
【図５】本発明の実施の形態３における、転動体の検査ユニットを示す概略図である。
【図６】本発明の実施の形態４における、転動体の検査ユニットを示す概略図である。
【符号の説明】
【００５９】
１  転動体、２  送信プローブ、３  受信プローブ、４  処理装置、５  治具、６  バネ、７  治具、８  緩衝材、１０  記憶部、１１  演算部。
【図１】
2009186423.tif 000004
【図２】
2009186423.tif 000005
【図３】
2009186423.tif 000006
【図４】
2009186423.tif 000007
【図５】
2009186423.tif 000008
【図６】
2009186423.tif 000009